(57)【要約】【目的】、施工現場における配管ピッチズレや配管角度ズレ等の施工誤差等に対応することが容易且つ円滑に可能であり、施工性の良好な複数連配管用支持具を提供する。【構成】複数本の配管を並列状態に支持する複数連配管用支持具において、  前記支持部材には、長尺方向に形成された透孔が形成されており、該透孔には、前記複数個の配管バンドの夫々を該支持部材に固定するバンド固定ボルトが該支持部材の台座側から台座とは反対側に向けて挿通されると共に、該挿通されたバンド固定ボルトの夫々が、前記支持部材に対して脱落を防止した状態で且つナット螺合時の伴回りを防止した状態で固定されており、前記複数個の配管バンドの夫々が、略Ｕ字形の一端に前記バンド固定ボルトが挿通されるボルト挿通孔を有する片持ち型のバンドであることを特徴とする複数連配管用支持具である。【選択図】        図１
2007332976.tif 000002
【特許請求の範囲】
【請求項１】
床や天井の如き取付面に固定される長尺状の台座と、該台座に起立する一対の支柱ボルトと、該一対の支柱ボルト間に架設される長尺状の支持部材と、該支持部材の長尺方向に移動調節可能に且つ並列状態に取り付けられる複数個の配管バンドと、を有して複数本の配管を並列状態に支持する複数連配管用支持具において、
前記支持部材には、長尺方向に形成された透孔が形成されており、該透孔には、前記複数個の配管バンドの夫々を該支持部材に固定するバンド固定ボルトが該支持部材の台座側から台座とは反対側に向けて挿通されると共に、該挿通されたバンド固定ボルトの夫々が、前記支持部材に対して脱落を防止した状態で且つナット螺合時の伴回りを防止した状態で固定されており、前記複数個の配管バンドの夫々が、略Ｕ字形の一端に前記バンド固定ボルトが挿通されるボルト挿通孔を有する片持ち型のバンドであることを特徴とする複数連配管用支持具。
【請求項２】
前記支持部材に取り付けられる前記配管バンドの数が３個又はそれ以上であり、該３個又はそれ以上の配管バンドが前記支持部材に対して同じ向きで取り付けられることを特徴とする請求項１に記載の複数連配管用支持具。
【請求項３】
前記支持部材に取り付けられる前記配管バンドの数が３個又はそれ以上であり、該３個又はそれ以上の配管バンドの内の端部１個を除く配管バンドが前記支持部材に対して同じ向きで取り付けられ、端部１個が前記配管バンドとは異なる向きで取り付けられることを特徴とする請求項１に記載の複数連配管用支持具。
【請求項４】
前記一対の支柱ボルトの台座と支持部材との間に、取付面からの配管高さの最下限高さを規程するスペーサーを介在させた構成であることを特徴とする請求項１〜３のいずれかに記載の複数連配管用支持具。
【請求項５】
前記スペーサーが、前記支柱ボルトを前記台座に固定するナットと前記支持部材を支柱ボルトに固定するナットとの間に螺合するナットであることを特徴とする請求項４に記載の複数連配管用支持具。
【発明の詳細な説明】
【技術分野】
【０００１】
本発明は複数連配管用支持具に関し、詳しくは並行状態に配管される複数本の排水ヘッダー等の配管を抱持支持する支持具に関する。
【背景技術】
【０００２】
集合住宅等の排水廻りとして連結排水ヘッダーが多く採用されており、この連結排水ヘッダーに接続される配管は、複数本が並列状態に連設した状態で配設され、例えば、特許文献１〜４に示される構成の支持具によって支持されている。
【０００３】
【特許文献１】特開昭５６−５９０８３号公報
【特許文献２】特開２００５−５４９０１号公報
【特許文献３】特開平７−３１７７１５号公報
【特許文献４】特開２００５−１９４８３５号公報
【発明の開示】
【発明が解決しようとする課題】
【０００４】
特許文献１に示す技術は、複数連の配管を長尺状の支持部材上にてＵボルトによって抱持支持する構成を有している。
【０００５】
しかしこの技術では、Ｕボルトによる線接触支持であるため、抱持安定性が低いという欠点を有している。
【０００６】
特許文献２に示す技術は、複数連の配管を長尺状の支持部材上に固着した配管バンドによって抱持支持する構成を有している。
【０００７】
しかしこの技術では、特許文献１に示すＵボルトによる線接触支持に比して配管バンドによる面接触支持であるため抱持安定性が高いが、配管バンドが支持部材に固着されているため、支持部材の長尺方向での位置調整及び配管方向における角度調整が不可能であることから、配管ピッチズレや配管角度ズレ等の施工誤差等に対応することが困難であるという欠点を有している。
【０００８】
特許文献３に示す技術は、複数連の配管を長尺状の支持部材上に該支持部材の長尺方向移動調節可能に取り付けた配管バンドによって抱持支持する構成を有している。
【０００９】
しかしこの技術では、支持部材の長尺方向での配管支持位置の調整は可能であるが、支持部材に取り付けられる配管バンドは角度調整が不可能であることから、配管方向における配管角度ズレに対応することが困難であるという欠点を有している。
【００１０】
特許文献４に示す技術は、複数連の配管を長尺状の支持部材上に該支持部材の長尺方向スライド可能なスライダー部材に取り付けた配管バンドによって抱持支持する構成を有している。
【００１１】
しかしこの技術では、支持部材の長尺方向での配管支持位置及び配管方向における配管角度ズレに対応することはできるが、施工場所の取付面の影響等により支持部材に歪み・撓み・曲がり等が生じた場合や施工現場での塵埃等支持部材に付着した場合等には、断面Ｌ字状の支持部材に対して遊動状態に嵌着したスライダー部材のスライドがスムースではなくなったりスライドが困難となる等の現場での位置調整が困難となることがあり、施工性が低下し易いという欠点を有している。
【００１２】
そこで本発明の課題は、施工現場における配管ピッチズレや配管角度ズレ等の施工誤差等に対応することが容易且つ円滑に可能であり、施工性の良好な複数連配管用支持具を提供することにある。
【課題を解決するための手段】
【００１３】
上記課題を解決する本発明は下記構成を有する。
【００１４】
１．床や天井の如き取付面に固定される長尺状の台座と、該台座に起立する一対の支柱ボルトと、該一対の支柱ボルト間に架設される長尺状の支持部材と、該支持部材の長尺方向に移動調節可能に且つ並列状態に取り付けられる複数個の配管バンドと、を有して複数本の配管を並列状態に支持する複数連配管用支持具において、
前記支持部材には、長尺方向に形成された透孔が形成されており、該透孔には、前記複数個の配管バンドの夫々を該支持部材に固定するバンド固定ボルトが該支持部材の台座側から台座とは反対側に向けて挿通されると共に、該挿通されたバンド固定ボルトの夫々が、前記支持部材に対して脱落を防止した状態で且つナット螺合時の伴回りを防止した状態で固定されており、前記複数個の配管バンドの夫々が、略Ｕ字形の一端に前記バンド固定ボルトが挿通されるボルト挿通孔を有する片持ち型のバンドであることを特徴とする複数連配管用支持具。
【００１５】
２．前記支持部材に取り付けられる前記配管バンドの数が３個又はそれ以上であり、該３個又はそれ以上の配管バンドが前記支持部材に対して同じ向きで取り付けられることを特徴とする上記１に記載の複数連配管用支持具。
【００１６】
３．前記支持部材に取り付けられる前記配管バンドの数が３個又はそれ以上であり、該３個又はそれ以上の配管バンドの内の端部１個を除く配管バンドが前記支持部材に対して同じ向きで取り付けられ、端部１個が前記配管バンドとは異なる向きで取り付けられることを特徴とする上記１に記載の複数連配管用支持具。
【００１７】
４．前記一対の支柱ボルトの台座と支持部材との間に、取付面からの配管高さの最下限高さを規程するスペーサーを介在させた構成であることを特徴とする上記１〜３のいずれかに記載の複数連配管用支持具。
【００１８】
５．前記スペーサーが、前記支柱ボルトを前記台座に固定するナットと前記支持部材を支柱ボルトに固定するナットとの間に螺合するナットであることを特徴とする上記４に記載の複数連配管用支持具。
【００１９】
更に、本発明に係る複数連配管用支持具は、下記の実施態様を包含するものである。
【００２０】
ａ．前記支持部材に形成された前記透孔が該支持部材の長尺方向に延びる長孔であること。
【００２１】
ｂ．上記ａの長孔が前記支持部材の長尺方向に長径を有する楕円孔乃至長孔であり、少なくとも前記支持部材に取り付けられる前記配管バンドの数に対応する数の長孔が形成されていること。
【００２２】
ｃ．上記ｂの長孔の内の長尺方向両側の長孔の長径に対して、その他の長孔の長径が長いこと。特に支持部材に取り付けられる配管バンドの数が３個以上の構成である場合、長尺方向両側以外の長孔（例えば、３個の場合には真中の１個、４個の場合には間の２個、５個の場合には間の３個。）については、両側の長孔の長径よりも長い長径となっていること。
【００２３】
ｄ．上記ａの長孔が前記支持部材の長尺方向に延びる一つの長孔であること。
【００２４】
ｅ．上記ａの長孔が前記支持部材の長尺方向の両端に突き抜けるスリットであること。
【００２５】
ｆ．前記支持部材が断面Ｌ字形の板材で形成されていること。
【００２６】
ｇ．前記支持部材が断面矩形の棒状体であり、該棒状体の一面に上記ａの長孔が形成されていること。
【発明の効果】
【００２７】
請求項１に示す発明によれば、施工現場における配管ピッチズレや配管角度ズレ等の施工誤差等に対応することが容易且つ円滑に可能であり、施工性の良好な複数連配管用支持具を提供することができる。
【００２８】
請求項２に示す発明によれば、例えば、３本の並列状態の配管を支持固定する際に、片持ち型である３個の配管バンドの全てを同じ側にある一方のバンド端部のボルト・ナットの螺合で支持固定が可能となり、施工性が高い。
【００２９】
請求項３に示す発明によれば、例えば、並列状態の３本の配管の配管ピッチが狭い場合であっても、配管に対して支持部材を角度を付けた斜め状態に配置することで抱持支持が可能となる。特にこの際に隣接するバンド端部及びボルト・ナットと配管との干渉を低減することができると共に、ナット螺合の際に隣接する配管バンドのバンド他端の干渉を受けることなく螺合工具を用いることができるので、配管支持の融通性が高いと共に施工性が高い。
【００３０】
請求項４に示す発明によれば、排水ヘッダーの如き接続する配管の最下限位置が決まっている施工の場合に、現場での配管高さ位置合せが極めて容易となるので施工性が高い。
【００３１】
請求項５に示す発明によれば、既存の部材であるナットを用いるだけで最下限位置の規程が可能となり低コストである。また、配管位置を最下限位置より高くする場合に該ナットが支持部材を固定するナット等の固定具を補強することができるので、支持安定性をより高めることができる。
【発明を実施するための最良の形態】
【００３２】
本発明に係る複数連配管用支持具の詳細について、添付の図面に基づき説明する。
【００３３】
図１は本発明に係る複数連配管用支持具の一実施例を示す正面図、図２は図１のＩＩ−ＩＩ線拡大断面図、図３は本発明に用いられる支持部材の一例を示す平面図、図４は本発明に用いられるバンド固定ボルトの脱落防止及び伴回り防止部材の一例を示す裏面からの斜視図、図５は本発明に用いられる支持部材の他の例を示す平面図、図６は図４の支持部材を用いた態様の配管支持状態の一例を示す平面図、図７は本発明に用いられる支持部材の他の例を示す平面図、図８は本発明に用いられる支持部材の他の例を示す平面図、図９は本発明に用いられる支持部材の他の例を示す斜視図である。
【００３４】
本発明に係る複数連配管用支持具は、集合住宅等の排水廻りとして用いられている連結排水ヘッダーーに接続され複数本の並列状態の配管を支持するものであり、図１に示すように、本発明に係る複数連配管用支持具１は、床や天井の如き取付面に固定される長尺状の台座２と、該台座２に起立する一対の支柱ボルト３・３と、該一対の支柱ボルト３・３間に架設される長尺状の支持部材４と、該支持部材４の長尺方向に移動調節可能に且つ並列状態に取り付けられる３個の配管バンド５Ａ・５Ｂ・５Ｃと、を主構成としている。尚、本実施例では、並列状態の配管が３本である態様について説明するが、本発明の複数連配管用支持具によって支持する配管の数は３本に限らず、２本であってもよいし、４本以上であってもよい。尚また、図１において、符号６は支柱ボルト３・３を台座２に固定するためのナット、符号７・８は支持部材４を支柱ボルト３・３に固定するためのナットである。
【００３５】
前記支持部材４は、図２に示すように断面Ｌ字形の板材で形成されている。また、該支持部材４は、排水ヘッダーの如き接続する配管の最下限位置が決まっている施工の場合に、取付面からの配管高さの最下限高さが規程されていることが好ましい。最下限高さを規程するには、図１に示すように、台座２上のナット６と支持部材４下面のナット８との間にナット１３であるスペーサーを介在させることが好ましい。即ち、３個のナット６・７・１３の厚みの合計が配管高さの最下限高さ（一般的な排水ヘッダーの場合、概ね３０ｍｍ）とすることで規程することができる。尚、スペーサーとしては支柱ボルト３に螺合するナット１３に代えて支柱ボルト３に挿通可能な管類であってもよいし、支柱ボルト３に挟着・固着・取付等が可能な板材等の他の部材であってもよい。
【００３６】
また、該支持部材４は、図３に示すように長尺方向に形成された透孔９Ａ・９Ｂ・９Ｃが形成されている。該透孔９Ａ・９Ｂ・９Ｃは、支持部材４の長尺方向に延びる長孔であり、少なくとも前記支持部材４に取り付けられる前記配管バンド５Ａ・５Ｂ・５Ｃの数（本実施例では３個）に対応する数（３個以上。本実施例では３個）の長孔が形成されている。
【００３７】
該透孔９Ａ・９Ｂ・９Ｃには、前記複数個の配管バンド５Ａ・５Ｂ・５Ｃの夫々を該支持部材４に固定するバンド固定ボルト１０・１０・１０が該支持部材４の台座側２から台座２とは反対側に向けて挿通されている。
【００３８】
更に、バンド固定ボルト１０・１０・１０の夫々は、透孔９Ａ・９Ｂ・９Ｃに挿通されて状態で、且つ前記支持部材４に対して脱落を防止した状態で且つナット螺合時の伴回りを防止した状態で固定されている。バンド固定ボルト１０・１０・１０の脱落防止及び伴回り防止の手段としては、例えば、図４に示すような防止具１１（本出願人の先提案技術である特開２００５−３０１４号の配管支持具用伴回り防止具を参照）を用いることができる。防止具１１の構成としては、図５に示すように側面視した際にコ字状を有する板状材から形成されており、２枚の板１１Ａ・１１Ｂ間で支持部材４を挟持し、板１１Ａに形成された切り込み部１１Ｃがバンド固定ボルト１０のネジ溝に入り込むことで支持部材４からの脱落を防止し、板１１Ｂに形成された規制部１１Ｄがバンド固定ボルト１０のボルト頭の回転を規制することでナット１１の螺合・緊締時の伴回りを防止することになる。
【００３９】
バンド固定ボルト１０・１０・１０によって支持部材４に取り付けられる配管バンド５Ａ・５Ｂ・５Ｃは、略Ｕ字形の一端に前記バンド固定ボルト１０・１０・１０が挿通されるボルト挿通孔を有する片持ち型のバンドである。該バンド固定ボルト１０・１０・１０は、配管を抱持支持した状態で前記バンド固定ボルト１０・１０・１０にナット１２・１２・１２を螺合・緊締することによって固定することができる。
【００４０】
以上の構成により、配管を抱持支持する配管バンド５Ａ・５Ｂ・５Ｃの夫々は、長孔である透孔９Ａ・９Ｂ・９Ｃに挿通されたバンド固定ボルト１０・１０・１０によって支持部材４に取り付けられることにより、該支持部材４の長尺方向に移動調節可能となっているので、種々の配管ピッチやピッチズレ等に対応することができる。また、配管バンド５Ａ・５Ｂ・５Ｃは片持ち型のバンドであり、バンドの一端が支持部材４に取り付けられる構成であるため、該一端部分を支点として回動可能することで配管角度ズレや斜め配管にも対応することができる。
【００４１】
更に、バンド固定ボルト１０・１０・１０が支持部材４に対して脱落を防止した状態で挿通されているので、配管を抱持する際に配管バンド５Ａ・５Ｂ・５Ｃの夫々を開放するためにナット１２・１２・１２を取り外しても、該バンド固定ボルト１０・１０・１０が抜け落ちてしまうことがないので、煩雑な現場での紛失を防止できるだけでなく作業性の低下をも防止することができる。更に、ナット１２螺合時の伴回りを防止した状態で挿通されているのでバンド固定ボルト１０・１０・１０夫々のボルト頭を押えることなくナット１２の螺合が容易且つスムースに行うことができるので作業性が高い。
【００４２】
以上、本発明に係る複数連配管用支持具の一実施例について説明したが、本発明は上記に限定されず、例えば、下記の態様を採ることもできる。
【００４３】
支持部材４に取り付けられる配管バンド５Ａ・５Ｂ・５Ｃの向きは、上記実施例のように３個が同じ向きで取り付けられる態様に限定されず、該３個の内の２個を同じ向きとし、残る１個は前記２個とは異なる向きで取り付けてもよい。この場合、支持部材４に形成される透孔９Ａ・９Ｂ・９Ｃは、例えば、図５に示すように３個の内の２個（９Ｂ・９Ｃ）を同じ向きとし、１個（９Ａ）を異なる向き、即ち、図３に示す上記実施例に用いた支持部材４とは、透孔９Ｂ・９Ｃが異なる位置に形成される。
【００４４】
３個の配管バンド５Ａ・５Ｂ・５Ｃの内の２個（５Ｂ・５Ｃ）を同じ向きとし、１個（５Ａ）を異なる向きとすることで、図６に示すように、並列状態の３本の配管１４Ａ・１４Ｂ・１４Ｃの配管ピッチが狭い場合であっても、配管Ｐ・Ｐ・Ｐに対して支持部材４を角度を付けた斜め状態に配置することで抱持支持が可能となる。特にこの際に隣接する配管バンド５Ａ・５Ｂ・５Ｃの各バンド端部及びバンド固定ボルト１０・ナット１２と配管Ｐ・Ｐ・Ｐとの干渉を低減することができると共に、ナット１２螺合の際に隣接する配管バンド（５Ａ・５Ｂ・５Ｃのいずれか）のバンド他端の干渉を受けることなく螺合工具を用いることができるので、配管支持の融通性が高いと共に施工性が高い。
【００４５】
また、支持部材４に形成される長孔である透孔９Ａ・９Ｂ・９Ｃは、図３及び図５に示す態様に限定されず、図７に示すように、３個の透孔９Ａ・９Ｂ・９Ｃの内の真中の１個（９Ｂ）の長径を両側の２個（９Ａ・９Ｃ）の長径よりも長い長孔にすることで、該真中の透孔９Ｂに取り付けられる配管バンド５Ｂの向きを配管バンド５Ａと同じにすることもできるし、配管バンド５Ｃと同じにすることもできるようになるので、施工現場の配管ピッチ等に適宜対応するように変更することが可能となる。支持部材４に形成される透孔の数が３個ではなく４個以上の場合、例えば、４個の場合には間の２個、５個の場合には間の３個というように、両側に形成される２個を除く長孔の長径を該両側の長孔の長径よりも長く形成すればよい。
【００４６】
更に、支持部材４に形成される長孔である前記透孔９Ａ・９Ｂ・９Ｃは、図８に示すように、支持部材４の長尺方向に延びる一つの長孔である透孔９Ｄとすることもできる。この場合、該透孔９Ｄに取り付けられる配管バンド５Ａ・５Ｂ・５Ｃ夫々の向きを変えることができるので、３個共に同じ向きにしたり、２個を同じ向きとし、１個を異なる向きとすることもできる。２個を同じ向きとし、１個を異なる向きとする場合、（１）５Ａと５Ｂを同じ向きとし、５Ｃを異なる向きにする態様、（２）５Ａと５Ｃを同じ向きとし、５Ｂを異なる向きにする態様、（３）５Ｂと５Ｃを同じ向きとし、５Ａを異なる向きとする態様、のいずれの態様とすることもできる。また、取り付けられる配管バンドの数も３個に限定されず、２個又は４個以上であってもよい。
【００４７】
更にまた支持部材４は、図２に示すように断面Ｌ字形の板材に限定されず、断面コ字状材や図９に示すような断面矩形の棒状体であってもよい。図９に示す棒状体の場合、長孔を支持部材４の長尺方向の両端に突き抜けるスリット９Ｅとして形成することもできる。
【図面の簡単な説明】
【００４８】
【図１】本発明に係る複数連配管用支持具の一実施例を示す正面図
【図２】図１のＩＩ−ＩＩ線拡大断面図
【図３】本発明に用いられる支持部材の一例を示す平面図
【図４】本発明に用いられるバンド固定ボルトの脱落防止及び伴回り防止部材の一例を示す裏面からの斜視図
【図５】本発明に用いられる支持部材の他の例を示す平面図
【図６】図４の支持部材を用いた態様の配管支持状態の一例を示す平面図
【図７】本発明に用いられる支持部材の他の例を示す平面図
【図８】本発明に用いられる支持部材の他の例を示す平面図
【図９】本発明に用いられる支持部材の他の例を示す斜視図
【符号の説明】
【００４９】
１  複数連配管用支持具
２  台座
３  支柱ボルト
４  支持部材
５Ａ・５Ｂ・５Ｃ  配管バンド
６  ナット
７  ナット
８  ナット
９Ａ・９Ｂ・９Ｃ  透孔
９Ｄ  透孔
９Ｅ  スリット
１０  バンド固定ボルト
１１  防止具
１２  ナット
１３  ナット（スペーサー）
Ｐ  配管
【図１】
2007332976.tif 000003
【図２】
2007332976.tif 000004
【図３】
2007332976.tif 000005
【図４】
2007332976.tif 000006
【図５】
2007332976.tif 000007
【図６】
2007332976.tif 000008
【図７】
2007332976.tif 000009
【図８】
2007332976.tif 000010
【図９】
2007332976.tif 000011